(57)【特許請求の範囲】
【請求項１】
被冷却材が移動するラインの上方に設置され、前記ライン上を移動する前記被冷却材を冷却すべき冷却媒体が流通する冷却媒体収納容器を有し、該冷却媒体収納容器に設けられた複数の孔から前記冷却媒体を吐出して前記被冷却材を冷却する冷却装置であって、
前記冷却媒体収納容器に接続された空気導入管を介して、前記冷却媒体収納容器に空気が導入され、
前記空気導入管に、空気導入のＯＮ／ＯＦＦを切り替える空気導入弁が接続され、
前記冷却媒体収納容器内の圧力を低減可能な減圧弁を有し、
前記減圧弁が、前記空気導入弁と前記冷却媒体収納容器との間に存在する前記空気導入管に接続されていることを特徴とする、冷却装置。
【請求項２】
請求項１に記載の冷却装置を使用する方法であって、
前記空気導入弁を開けて前記冷却媒体収納容器内へ空気を導入し、導入された前記空気を用いて、前記冷却媒体収納容器内に存在する前記冷却媒体を前記孔から前記冷却媒体収納容器外へと吐出した後、
前記空気導入弁の閉動作の開始時以後に前記減圧弁を開けることを特徴とする、冷却装置の使用方法。
【請求項３】
前記空気導入弁を開ける前に前記減圧弁を一旦開けた状態にすることを特徴とする、請求項２に記載の冷却装置の使用方法。
【発明の詳細な説明】
【技術分野】
【０００１】
本発明は、高温の被冷却材を冷却する冷却装置およびその冷却装置の使用方法に関し、さらに詳しくは、熱間圧延後の鋼板等のように移動ライン上を移動する高温の板状材料を上面および下面から冷却する冷却装置、およびその冷却装置の使用方法に関する。
【背景技術】
【０００２】
金属材料または金属製品（以下、総称して「金属材料」や「金属製品」とも記す。）の製造プロセスにおいては、例えば熱間圧延後の金属材料を冷却する場合のように、高温の材料を強制冷却することにより所望の金属組織や機械的特性を得る工程が多々存在する。金属材料製造プロセスにおける強制冷却は、一般に、被冷却材（冷却されるべき高温の材料）が移動するラインに設置された強制冷却装置内に被冷却材である金属材料を導入し、その表面に冷却水等の冷却媒体を吐出供給することにより行われる。
【０００３】
被冷却材の強制冷却装置としては、具体的には、ライン上を移動する被冷却材の上方、および、その底部に複数の冷却媒体吐出孔（以下において、単に「孔」とも記す。）を有する冷却媒体収納容器（ヘッダ）を設置し、このヘッダに冷却媒体を供給して、冷却媒体吐出孔から被冷却材に冷却媒体を吐出供給することにより、被冷却材を冷却する方式のものが多く用いられている。
【０００４】
冷却媒体は、被冷却材が強制冷却装置（以下において、「冷却装置」とも記す。）中を通過する度に冷却媒体吐出孔から吐出される。被冷却材が冷却装置を通過した後、冷却媒体の供給は停止されるが、一部の冷却媒体は冷却装置内に滞留するために、冷却媒体は供給停止後も一定時間に亘ってライン上に滴下を続ける。
【０００５】
ここで、例えば冷却媒体吐出後に被冷却材をライン上で逆走させる場合、あるいは冷却不要材（冷却装置で冷却しない高温の材料）を冷却装置中に通過させる場合、冷却媒体が滴下し被冷却材または冷却不要材（以下、総称して単に「被冷却材」とも記す。）に跳ねかかると、被冷却材の材料特性や平坦度に大きな影響が生じる。材料特性等に影響を与えずに金属製品の生産効率を上げるためには、冷却媒体の除去、いわゆる水切りを早急に完了させる必要がある。冷却媒体を強制的に除去制御する発明には以下のようなものがある。
【０００６】
特許文献１には、空気の排気をノズルの直近且つ冷却水流れ方向に導入し、排気によってノズル内の残留冷却水をパージする（外に追いやる）ことを特徴とする熱間圧延でのスプレーノズルの水切り方法が開示されている。このように、空気を用いて冷却媒体（冷却水）をパージすることは一般に行われている技術である。
【０００７】
特許文献２には、ノズルヘッダ内から冷却水を外部へ排出可能とする冷却水排出管と、冷却水供給制御手段とノズルヘッダの間に空気を導入可能とする空気導入管とを備えているとともに、ノズルヘッダに取り付けられたノズル群の各ノズルはノズルヘッダ内に所定長さ貫通し、各ノズルの冷却水流入口は少なくとも冷却水排出管の下端部より上方に位置している鋼材の冷却装置が開示されている。特許文献２に記載の発明がこのような構成をとるのは、冷却水排出管と空気導入管とを同時に作動させることで冷却水を冷却水排出管から排出させることを意図しているためであり、空気によりノズルからの水切りを行うことは意図していない。むしろ、特許文献２に記載の発明では、その明細書段落００４７に記載されているように、空気を送りノズルから高い圧力で冷却水を噴射することは過冷却が発生するため好ましくないとしている。
【先行技術文献】
【特許文献】
【０００８】
【特許文献１】特開２００１−７９６０８号公報
【特許文献２】特開２００９−２２０１５８号公報
【発明の概要】
【発明が解決しようとする課題】
【０００９】
本発明は、冷却媒体の供給停止後も冷却装置内に滞留し滴下を続ける冷却媒体を強制的に排除して、被冷却材の材料特性および／または平坦度への悪影響を回避するとともに、いち早く冷却媒体の滴下を防止することで金属製品の生産性を向上させることが可能な冷却装置、およびその冷却装置の使用方法を提供することを課題とする。
【課題を解決するための手段】
【００１０】
空気を用いて冷却媒体を強制的にノズルから噴射する（パージする）ことにより、水切りを行うことができる。パージ開始直後は冷却媒体が勢いよく吐出されるものの、しばらく経つとノズルから排出される冷却媒体は少なくなる。これは、冷却媒体収納容器内に残存する冷却媒体の残存量が少なくなることに起因するが、一方で、少なくなった冷却媒体は空気導入管から導入された空気によって冷却媒体収納容器内にわずかに残存する冷却媒体の滴下が直ぐには止まらない状態になると考えられる。
【００１１】
冷却媒体を冷却媒体収納容器内から完全に除去できれば、冷却媒体の滴下によって被冷却材の材料特性および／または平坦度が悪影響を受けることはない。
【００１２】
これに対し、発明者らは、パージ後、完全に冷却媒体の除去ができなくても冷却媒体が冷却媒体収納容器から滴下しなければよいと考え、そのための冷却媒体の制御方法を検討した。
【００１３】
冷却媒体にはそもそも表面張力が存在する。よって、冷却媒体収納容器内に残存した冷却媒体は、なんら圧力がかからなければ、表面張力によってその位置に留まる。このことから、冷却媒体収納容器内の圧力を抜く弁（減圧弁）を設け、この弁を開いて冷却媒体収納容器内の圧力を低減することにより、冷却媒体収納容器内にわずかに残存する冷却媒体の滴下を防止することが可能になると考えた。発明者らは、以上のような知見を得て、本発明を完成させた。
【００１４】
以下、本発明について説明する。なお、本発明の理解を容易にするため、添付図面の参照符号を括弧書きにて付記するが、それにより本発明が図示の形態に限定されるものではない。
【００１５】
本発明の第１の態様は、被冷却材が移動するラインの上方に設置され、該ライン上を移動する被冷却材を冷却すべき冷却媒体が流通する冷却媒体収納容器（１２ｘ）を有し、該冷却媒体収納容器に設けられた複数の孔（１２ｙ、１２ｙ、…）から冷却媒体を吐出して被冷却材を冷却する冷却装置（１０）であって、冷却媒体収納容器に接続された空気導入管（１４）を介して、冷却媒体収納容器に空気が導入され、空気導入管に、空気導入のＯＮ／ＯＦＦを切り替える空気導入弁（１６）が接続され、冷却媒体収納容器内の圧力を低減可能な減圧弁（１５）を有し、減圧弁（１５、１５）が、空気導入弁（１６）と冷却媒体収納容器（２２ｘ、３２ｘ）との間に存在する空気導入管（１８ａ、１９ａ）に接続されていることを特徴とする、冷却装置（１０）である。
【００１７】
本発明の第２の態様は、上記本発明の第１の態様にかかる冷却装置（１０）を使用する方法であって、空気導入弁（１６）を開けて冷却媒体収納容器（１２ｘ）内へ空気を導入し、導入された空気を用いて、冷却媒体収納容器内に存在する冷却媒体を孔（１２ｙ、１２ｙ、…）から冷却媒体収納容器外へと吐出した後、空気導入弁の閉動作の開始時以後に減圧弁（１５）を開けることを特徴とする、冷却装置の使用方法である。
【００１８】
ここに、「導入された空気を用いて、冷却媒体収納容器内に存在する冷却媒体を孔（１２ｙ、１２ｙ、…）から冷却媒体収納容器外へと吐出した後」は、導入された空気を用いた冷却媒体の吐出が開始された後であればよい。
【００１９】
また、上記本発明の第２の態様において、空気導入弁（１６）を開ける前に減圧弁（１５）を一旦開けた状態にすることが好ましい。
【発明の効果】
【００２０】
本発明によれば、冷却媒体収納容器（１２ｘ）に空気導入管（１６）より空気を導入することができるので、冷却媒体収納容器に設けられた孔（１２ｙ、１２ｙ、…）から冷却媒体を強制吐出することができる。さらに、空気導入後に減圧弁（１５）を開いて冷却媒体収納容器内の圧力を低減することにより、冷却媒体収納容器内になお残存する冷却媒体を、その場所に固定でき、孔からの吐出・滴下を防止することができる。この結果、冷却媒体の被冷却材への跳ねかかりもなく、適正な特性を有する金属製品を製造することができる。また、水切りが完了するまでの所要時間も従来に比べて短縮することができるので、生産性も向上する。すなわち、本発明によれば、冷却媒体の供給停止後も冷却装置内に滞留し滴下を続ける冷却媒体を強制的に排除して、被冷却材の材料特性および／または平坦度への悪影響を回避するとともに、いち早く冷却媒体の滴下を防止することで金属製品の生産性を向上させることが可能な冷却装置（１０）、およびその冷却装置の使用方法を提供することができる。
【図面の簡単な説明】
【００２１】
【図１】冷却装置１０を説明する図である。
【図２】冷却装置の形態例を説明する図である。図２（ａ）は上冷却装置１２を説明する図である。図２（ｂ）は上冷却装置２２を説明する図である。図２（ｃ）は上冷却装置３２を説明する図である。
【発明を実施するための形態】
【００２２】
以下、図面を適宜参照しつつ、本発明の実施の形態について説明する。なお、図面では、繰り返される一部符号の記載を省略する。
【００２３】
１．冷却装置
図１は、本発明の冷却装置１０の概要を示した図である。同図では、下方に設置される下冷却装置１１、および、上部に設置される上冷却装置１２へ冷却媒体（水）を導く配管１３も併せて示した。冷却装置１０によって冷却される不図示の被冷却材は、下冷却装置１１と上冷却装置１２との間に位置するライン上を、図１の紙面垂直方向に移動する。下冷却装置１１は、冷却媒体収納容器１１ｘを有しており、冷却媒体収納容器１１ｘには、冷却媒体が吐出される複数の孔（ノズル）１１ｙ、１１ｙ、…が設けられている。また、上冷却装置１２は、冷却媒体収納容器１２ｘを有しており、冷却媒体収納容器１２ｘには、冷却媒体が吐出される複数の孔（ノズル）１２ｙ、１２ｙ、…が設けられている。冷却媒体収納容器１２ｘには、冷却媒体を冷却媒体収納容器１２ｘへ導く配管１３、冷却媒体収納容器１２ｘへ導入される空気が流通する空気導入管１４、及び、冷却媒体収納容器１２ｘ内の圧力を低減する際に開かれる減圧弁１５が接続されており、空気導入管１４には、空気導入のＯＮ／ＯＦＦを切り替える空気導入弁１６が接続されている。冷却装置１０によって、ライン上を移動する被冷却材を冷却する際には、下冷却装置１１に設けられた複数の孔（ノズル）１１ｙ、１１ｙ、…や上冷却装置１２に設けられた複数の孔（ノズル）１２ｙ、１２ｙ、…から冷却媒体が吐出される。上冷却装置１２の場合、例えば、自然落下により冷却媒体が吐出される。
【００２４】
被冷却材の冷却が終了すると、冷却媒体収納容器１１ｘ、１２ｘへの冷却媒体の供給が遮断されるが、遮断直後は、冷却媒体収納容器１２ｘ内に残存する冷却媒体が孔１２ｙ、１２ｙ、…から滴下する。滴下量は徐々に減少するが、滴下が完全に停止するまではかなりの時間を要する。
【００２５】
このため、本発明の冷却装置１０は、冷却媒体収納容器１２ｘに空気を導入する空気導入管１４を備えている。冷却媒体収納容器１２ｘに空気を導入すれば、空気圧により押し出される冷却媒体を、冷却媒体収納容器１２ｘから孔１２ｙ、１２ｙ、…を通して排出することができる。空気導入管１４には空気導入弁１６が配されており、当該弁１６を開くことにより圧縮された空気がエアタンク（図１では不図示）から冷却媒体収納容器１２ｘに導入される。空気導入弁１６は、後述する減圧弁１５と連動させることにより、残存する冷却媒体が孔１２ｙ、１２ｙ、…から滴下しない制御が可能となる。
【００２６】
減圧弁１５は、空気導入管１４から導入された圧縮空気により冷却媒体収納容器１２ｘ内に付与された圧力を解放するための開閉弁である。このため、減圧弁１５の一方は大気と接続される。当該弁１５を開けることにより圧縮空気を冷却媒体収納容器１２ｘの外へ逃がすことができるので、冷却媒体収納容器１２ｘ内の圧力を大気圧にすることができる。
【００２７】
図２は、本発明の冷却装置の形態例を説明する図である。図２（ａ）は、減圧弁１５が冷却媒体収納容器１２ｘに直接配置されている上冷却装置１２を示しており、図２（ｂ）は、減圧弁１５、１５が空気導入管１８に直接的に配置されている上冷却装置２２を示しており、図２（ｃ）は、減圧弁１５、１５が空気導入管１９に配置されている上冷却装置３２を示している。図２（ｂ）および図２（ｃ）において、図２（ａ）と同様の構成には図２（ａ）で使用した符号と同一の符号を付し、その説明を適宜省略する。
【００２８】
図２（ａ）に示した上冷却装置１２は、冷却媒体収納容器１２ｘ（以下において、「容器１２ｘ」ということがある。）を有している。複数の孔１２ｙ、１２ｙ、…が設けられている該容器１２ｘには、一端がエアタンク１７に接続された空気導入管１４、および、減圧弁１５が接続されている。さらに、容器１２ｘは、図１に示した配管１３を介して供給される冷却媒体の入口である給水口１２ｚを有しており、空気導入管１４には、空気導入弁１６が設けられている。このように構成される上冷却装置１２は、空気導入管１４および該空気導入管１４に設けられた空気導入弁１６を有しているので、空気導入弁１６を開くことにより、エアタンク１７に充填されている圧縮空気を容器１２ｘへと導入することができる。また、容器１２ｘに減圧弁１５が接続されているので、例えば減圧弁１５を開くことにより、圧縮空気が供給された容器１２ｘ内の圧力を大気圧まで低減することができる。
【００２９】
図２（ｂ）に示した上冷却装置２２は、冷却媒体収納容器２２ｘ（以下において、「容器２２ｘ」ということがある。）を有している。容器２２ｘには、被冷却材に向かって吐出される冷却媒体が通過する複数の孔２２ｙ、２２ｙ、…が設けられており、容器２２ｘへと供給される冷却媒体の入口として機能する給水口２２ｚが設けられている。容器２２ｘには、一端がエアタンク１７に接続され且つ途中の分岐点で２方向へ分岐している空気導入管１８が接続されており、分岐点とエアタンク１７との間に空気導入弁１６が配され、２方向に分岐している空気導入管１８の分岐管１８ａ、１８ａに、減圧弁１５、１５がそれぞれ配されている。このように構成される上冷却装置２２は、空気導入管１８および該空気導入管１８に設けられた空気導入弁１６を有しているので、空気導入弁１６を開くことにより、エアタンク１７に充填されている圧縮空気を容器２２ｘへと導入することができる。また、容器２２ｘに接続されている分岐管１８ａ、１８ａに減圧弁１５、１５が配されているので、例えば減圧弁１５、１５を開くことにより、圧縮空気が供給された容器２２ｘ内の圧力を大気圧まで低減することができる。
【００３０】
図２（ｃ）に示した上冷却装置３２は、冷却媒体収納容器３２ｘ（以下において、「容器３２ｘ」ということがある。）を有している。容器３２ｘには、被冷却材に向かって吐出される冷却媒体が通過する複数の孔３２ｙ、３２ｙ、…が設けられており、容器３２ｘへと供給される冷却媒体の入口として機能する給水口３２ｚが設けられている。容器３２ｘには、一端がエアタンク１７に接続され且つ途中の分岐点で２方向へ分岐している空気導入管１９が接続されており、分岐点とエアタンク１７との間に空気導入弁１６が配され、２方向に分岐している空気導入管１９の分岐管１９ａ、１９ａに、減圧弁１５、１５がそれぞれ接続されている。このように構成される上冷却装置３２は、空気導入管１９および該空気導入管１９に設けられた空気導入弁１６を有しているので、空気導入弁１６を開くことにより、エアタンク１７に充填されている圧縮空気を容器３２ｘへと導入することができる。また、容器３２ｘに接続されている分岐管１９ａ、１９ａに減圧弁１５、１５が接続されているので、例えば減圧弁１５、１５を開くことにより、圧縮空気が供給された容器３２ｘ内の圧力を大気圧まで低減することができる。
【００３１】
図２（ａ）乃至図２（ｃ）に示したように、本発明の冷却装置において、減圧弁１５は、冷却媒体収納容器内の圧力を低減できれば、その位置や数は限定されない。ただし、一の管に配置することによってメインテナンスの点で有利な形態にする等の観点からは、図２（ｂ）および図２（ｃ）に示したように、空気導入弁１６よりも冷却媒体収納容器側に位置している空気導入管の部位に、減圧弁を配置することが好ましい。
【００３２】
また、上記説明では、冷却媒体収納容器に１系統の配管群（空気導入弁および減圧弁を含めた空気導入管。以下において同じ。）が接続された形態を例示したが、本発明の冷却装置は当該形態に限定されない。本発明の冷却装置は、１つの冷却媒体収納容器に複数の系統の配管群が接続された形態とすることも可能である。例えば、冷却媒体収納容器がその内部で複数の部屋に仕切られている場合には、部屋ごとに１つの配管群を接続してもよい。１つの冷却媒体収納容器に複数の配管群を接続する場合、冷却媒体収納容器内に均等に空気を導入可能であり、且つ、減圧弁を用いて冷却媒体収納容器内の圧力を低減可能な形態にする等の観点から、複数の配管群を、冷却媒体収納容器の幅方向（図１及び図２の紙面左右方向）の中央に対して対称に配置することが好ましい。
【００３３】
２．冷却装置の使用方法
本発明の冷却装置を用いて冷却媒体の滴下を早期に防止するためには、冷却装置に備えられる空気導入弁および減圧弁の動作を適切に制御することが好ましい。
【００３４】
本発明の冷却装置を使用する際には、例えば、ライン上を移動する被冷却材の冷却が終了し、冷却媒体収納容器への冷却媒体の供給終了後または供給終了直前に、空気導入弁を開け、減圧弁を閉じる状態とする。このように使用することで、冷却媒体収納容器内に空気が導入され、冷却媒体に圧力が付与されることにより、冷却媒体の孔からの吐出が促進される。
【００３５】
さらに、冷却媒体収納容器内に空気が導入されて冷却媒体が孔から吐出され、孔からの滴下がほぼなくなった後（例えば、冷却媒体の滴下が板内温度分布に影響を及ぼさない量まで減少した後）、空気導入弁を閉じる動作が開始された時以後に減圧弁を開けることにより、冷却媒体収納容器内の圧力を低下させる。圧縮空気から圧力が付与された状態のままでは、冷却媒体収納容器内の冷却媒体が完全になくならない限り、孔からの滴下は止まらない。そこで、減圧弁を開けて冷却媒体収納容器内の圧力を低下させることにより、強制的な冷却媒体の排除（冷却媒体の滴下）を回避する。このとき、冷却媒体は冷却媒体収納容器内に微量残存するが、当該冷却媒体は表面張力により固定されて、孔から滴下することはない。
【００３６】
冷却媒体が孔から吐出された後（空気導入弁を開けた後）に減圧弁を開け始める時期は、空気導入弁を閉め始めた時以後且つ空気導入弁が完全に閉まる前とすることが好ましい。空気導入弁が完全に閉まる迄には一定の時間がかかるので、完全に閉まる前に減圧弁を開け始めることにより、水切り完了迄の所要時間を短縮することが可能になるためである。
【００３７】
また、本発明の冷却装置を使用する際、冷却媒体収納容器内の冷却媒体の挙動が大きく乱れると、却って冷却媒体の孔からの吐出が遅くなることがある。例えば、冷却媒体収納容器内に大量の冷却媒体が残存した状態で空気を導入したり、冷却媒体収納容器内へと導入される空気の圧力が高すぎたりする場合には、冷却媒体の挙動が乱れやすい。このため、残存する冷却媒体の量や空気圧等を考慮して、空気導入弁から空気を導入することが好ましい。具体的には、空気導入弁を開ける前に、減圧弁を一旦開け、その後、減圧弁を閉めることが好ましい。
【００３８】
冷却媒体収納容器内にいまだ大量の冷却媒体が存在する場合、この冷却媒体に、空気導入弁を開放して圧力の高い空気を直接導入すると、冷却媒体の挙動が乱れ得る。冷却媒体の挙動が乱れると冷却媒体の孔からの吐出が遅くなる虞がある。そこで、この乱れの発生を回避するために、空気導入弁を開ける前に一旦減圧弁を開けた状態にし、冷却媒体収納容器内の空気圧を低減する。こうして、減圧弁を一時的に開閉することにより冷却媒体収納容器内の圧力は低空気圧下から徐々に上昇し、冷却媒体が乱れることなく孔から吐出されるので、早期に水切りを完了することが可能になる。
【００３９】
空気導入弁を開ける前に減圧弁を開けるタイミングは、例えば、冷却媒体収納容器への冷却媒体導入停止後とすることができる。このほか、冷却媒体が冷却媒体収納容器に導入されている時に減圧弁を開けてもよい。
【００４０】
開けられた減圧弁は、空気導入弁が開けられる前に、閉じることが好ましい。空気導入弁を開けることに伴い、減圧弁が開いていると、冷却媒体に十分な圧力をかけることが困難になりやすい。そのため、冷却媒体の孔からの吐出を促進可能な形態にする等の観点からは、空気導入弁を開ける前に減圧弁を閉じることが好ましい。
【００４１】
本発明の冷却装置を以上の方法で使用することで、すばやく冷却媒体の滴下を防止できるので、被冷却材の材料特性および／または平坦度への悪影響を回避できると共に、いち早く冷却媒体の滴下を防止することで金属製品の生産性を向上させることができる。
【実施例】
【００４２】
図２（ｂ）に示したような空気導入弁および減圧弁を有する冷却装置を用い、冷却媒体として水を用いて、水切りが完了するまでの所要時間（以下において、「水切り時間」という。）を測定した。表１に、実験条件とともに、水切り時間を示す。表１において、「導入空気圧力」は空気導入管から冷却媒体収納容器に導入した空気の圧力［ＭＰａ］、「パージタイミング」は水の供給を遮断し始めてから空気導入弁を開けるまでの時間［秒］、「パージ時間」は空気導入弁を開けてから閉めるまでの時間［秒］、「減圧弁タイミング」は水の供給を遮断してから減圧弁を開けるまでの時間［秒］、「減圧弁開時間」は減圧弁を開けてから閉めるまでの時間［秒］、「水切り時間」は水の供給を遮断してから水の滴下がなくなるまでの時間［秒］である。
【００４３】
本発明例１および本発明例２では、水の供給を遮断後、一旦減圧弁を開閉し、その後、空気導入弁を開けることにより、冷却媒体収納容器内の水が乱れることを防いで、冷却媒体収納容器に残存する水を孔から吐出させた。
【００４４】
表１にはあわせて、減圧弁を有さない冷却装置の例（図２（ｂ）に示した冷却装置において減圧弁を使用しない場合の例）を比較例１として、また、空気導入弁および減圧弁を有さない冷却装置の例（図２（ｂ）に示した冷却装置において空気導入弁および減圧弁を使用しない場合の例）を比較例２として示した。
【００４５】
【表１】
0005673447.tif 000002
【００４６】
表１に示したように、本発明の冷却装置を使用した本発明例１乃至本発明例３は、いずれも水切り時間が５０秒未満となった。これに対し、単にパージした例（比較例１）、および、パージすら行わなかった例（比較例２）は、本発明例に比べ水切りが完了する迄に倍近くの時間を要した。
【００４７】
また、導入空気圧力が０．２ＭＰａであった本発明例２および本発明例３の結果から、空気導入弁を開く前に減圧弁を開閉し、空気導入弁を開いた本発明例２は、空気導入弁を開く前に減圧弁の開閉動作を行わなかった本発明例３と比較して、空気導入弁を開けてから水切りが完了する迄の所要時間が７秒短かった。この結果から、空気導入弁を開く前に減圧弁の開閉動作を行うことにより、水切りが完了するまでの所要時間を短縮することが可能になり、金属製品の生産性を向上させやすくなることが分かる。
【００４８】
以上より本発明によれば、水切り時間の短縮化が図れ、生産性が向上する。また、水切りを行うことにより、滴り落ちてきた水が被冷却材にかかることもないので適正な特性を有する材金属製品を製造することができることが分かる。
【符号の説明】
【００４９】
１０…冷却装置
１１…下冷却装置
１１ｘ、１２ｘ、２２ｘ、３２ｘ…冷却媒体収納容器
１１ｙ、１２ｙ、２２ｙ、３２ｙ…孔
１２、２２、３２…上冷却装置
１２ｚ、２２ｚ、３２ｚ…給水口
１３…配管
１４、１８、１９…空気導入管
１５…減圧弁
１６…空気導入弁
１７…エアタンク
１８ａ、１９ａ…分岐管
【図１】
0005673447.tif 000003
【図２】
0005673447.tif 000004